(57)【特許請求の範囲】
【請求項１】
内容物を氷とともに収容する保冷容器であって、
上部が開放された箱体と、該箱体の上部の開口部を閉塞する蓋体と、前記箱体の内部に設けられ前記内容物及び前記氷が収容される収容部と、前記箱体の内部に設けられ前記氷及び前記氷が融解した水が貯留される水氷貯留部と、前記箱体の底部に設けられ前記水を排出する水抜き穴を有する前記収容部の底部の排水部と、前記箱体と一体に設けられ前記水氷貯留部と前記排水部とを区画する隔壁と、を備え、
前記水氷貯留部は、前記箱体の前記開口部が開放された状態で、上部が開放されていることを特徴とする保冷容器。
【請求項２】
前記蓋体によって前記箱体の前記開口部が閉塞された状態で、前記収容部と前記水氷貯留部の上部とが連通することを特徴とする請求項１に記載の保冷容器。
【請求項３】
前記水氷貯留部は、前記箱体の壁面に隣接して設けられていることを特徴とする請求項１に記載の保冷容器。
【請求項４】
複数の前記水氷貯留部を有することを特徴とする請求項３に記載の保冷容器。
【請求項５】
異なる高さの複数の隔壁を有することを特徴とする請求項４に記載の保冷容器。
【発明の詳細な説明】
【技術分野】
【０００１】
本発明は、保冷容器に関する。
【背景技術】
【０００２】
従来から魚箱等として用いられる発泡スチロール容器が知られている（例えば、下記特許文献１を参照）。特許文献１に記載された発泡スチロール容器は、少なくとも底壁と側壁を備え、底壁又は側壁下部に水抜き穴を設け、該容器の水抜き穴開口部を薄壁により閉鎖して成形し、必要時に、該薄壁を破損して水抜き穴を開口可能にしたことを特徴としている。
【０００３】
特許文献１によれば、輸送時等において保冷を望むときには、水抜き穴開口部は閉鎖状態として容器内部と外気との連通をなくし、外気により内部に詰めた氷が融けるのを防いで保冷効果を維持することができる。そして、水抜きが必要になったときには、薄壁を破損させて容器内部の溜まった水を排出することができる。
【先行技術文献】
【特許文献】
【０００４】
【特許文献１】実用新案登録第３０５４３６０号公報
【発明の概要】
【発明が解決しようとする課題】
【０００５】
前記特許文献１に記載された発泡スチロール容器は、薄壁を破損させて水抜き穴を開口させるまでは、容器内部に溜まった水を排出することができない。そのため、鮮魚等の内容物とともに氷を容器に詰めると、氷が融解して容器内部に水が溜まり、内容物が水に浸かる虞がある。例えば、フエフキダイのように、内容物である商品の種類によっては、水に浸かると商品価値が低下するものがある。
【０００６】
また、容器内部に水が溜まるのを防止するために、予め薄壁を破損させて水抜き穴を開口させておくと、水抜き穴から容器内部へ温かい空気が流入して氷の融解が促進され、容器に詰められた氷がより短時間で消失してしまう。容器に詰められた氷が消失すると、内容物である商品の見栄えが悪くなるだけでなく、内容物の温度が上昇して商品価値が低下する虞がある。
【０００７】
本発明は、前記課題に鑑みてなされたものであり、内容物が水に浸かるのを防止することができ、かつ内容物とともに詰められた氷をより長時間に亘って残存させることができる保冷容器を提供することを目的とする。
【課題を解決するための手段】
【０００８】
前記目的を達成すべく、本発明の保冷容器は、内容物を氷とともに収容する保冷容器であって、前記内容物及び前記氷が収容される収容部と、前記氷及び前記氷が融解した水が貯留される水氷貯留部と、前記水を排出する水抜き穴を有する前記収容部の底部の排水部と、前記水氷貯留部と前記排水部とを区画する隔壁と、を備えることを特徴とする。
【０００９】
本発明の保冷容器は、容器内部の収容部には、氷とともに内容物が収容され、容器内部の水氷貯留部には、氷が収容される。収容部及び水氷貯留部に収容された氷は、時間の経過とともに融解して水になるが、収容部の氷が融けた水は、収容部の底部の排水部から水を排出する水抜き穴によって外部へ排出される。そのため、収容部では、水が貯留されず、氷だけが残存し、内容物が水に浸かるのを防止できる。
【００１０】
一方、水氷貯留部の氷が融けた水は、残存する氷とともに水氷貯留部に貯留される。そのため、水氷貯留部では、氷と水が混在して貯留され、氷が概ね０℃の水に浸かった水氷の状態になる。そのため、収容部の水抜き穴から容器内部に温かい空気が侵入しても、容器内部を水氷によって効果的に冷却することができ、内容物の温度上昇を抑制することができる。
【００１１】
また、水氷貯留部において、氷が融けた水を貯留することで、水を排出して氷だけを貯留した場合と比較して、水氷貯留部に貯留される冷媒としての水氷の比熱を大きくすることができる。したがって、内容物とともに詰められた氷を長時間に亘ってより多く残存させることができ、内容物の見栄えを向上させることができるだけでなく、内容物の温度上昇を抑制して商品価値を向上させることができる。
【００１２】
また、本発明の保冷容器は、上部が開放された箱体と、該箱体の上部の開口部を閉塞する蓋体と、を備えてもよい。この場合、前記箱体は、内部に前記収容部及び前記水氷貯留部を有し、底部に前記排水部を有し、前記水氷貯留部は、前記箱体の前記開口部が開放された状態で、上部が開放されていてもよい。これにより、箱体の上部の蓋体を外して、箱体の上部の開口部を開放した状態で、箱体の内部の収容部に内容物を配置し、収容部と水氷貯留部に氷を詰め、その後、箱体の開口部を蓋体で閉塞することができる。したがって、保冷容器の収容部に内容物と氷を収容し、水氷貯留部に氷を収容するのを容易にすることができる。
【００１３】
また、本発明の保冷容器は、前記箱体の前記開口部が前記蓋体によって閉塞された状態で、前記収容部と前記水氷貯留部の上部とが連通してもよい。これにより、収容部の底部の排水部の水抜き穴から容器内部へ流入した温かい空気は、収容部の上部へ移動して水氷貯留部の上部へ移動する。また、水氷貯留部に貯留された水氷によって冷却された空気は、水氷貯留部の上部から収容部へ移動し、さらに収容部の底部へ移動する。したがって、水氷貯留部において冷却された空気によって収容部を効果的に冷却し、収容部の内容物の温度上昇をより効果的に抑制することができる。
【００１４】
また、本発明の保冷容器において、前記水氷貯留部は、前記箱体の壁面に隣接して設けられていることが好ましい。これにより、箱体の壁面を介して容器内部へ侵入する熱を、氷のみの場合と比較して比熱の大きい水氷貯留部の水氷によって、より長時間に亘ってより多く吸収することができる。したがって、箱体の壁面を介して収容部へ到達する熱を、より長時間に亘って遮断し、収容部の温度上昇をより効果的に抑制することができる。
【００１５】
また、本発明の保冷容器は、複数の前記水氷貯留部を有することができる。より具体的には、例えば、直方体の箱体の一対の長側面に沿って一対の水氷貯留部を配置したり、中央部に配置した収容部の周囲を囲むように多重の水氷貯留部を配置したり、矩形の箱体の四隅に水氷貯留部を配置したりすることができる。これにより、箱体の壁面を介して収容部へ到達する熱を、箱体のスペースや内容物の形状や大きさに応じて、より広い範囲でより適切に遮断することができる。
【００１６】
また、本発明の保冷容器は、異なる高さの複数の隔壁を有することができる。これにより、例えば、内容物の形状や大きさに応じて隔壁の高さを異ならせ、収容部のスペースを増加させることができる。また、複数の水氷貯留部の容積を異ならせることができ、箱体の壁面を介して収容部へ到達する熱を、箱体の内部のスペースや内容物の形状や大きさに応じて、より適切に遮断することができる。
【００１７】
また、本発明の保冷容器において、前記隔壁は、前記箱体と一体に設けられていてもよい。これにより、保冷容器から隔壁が脱落することが防止され、収容部と水氷貯留部との間の水の移動をより確実に規制することができる。
【００１８】
また、本発明の保冷容器において、前記隔壁は、前記箱体に取り外し可能に設置されていてもよい。この場合、箱体の内部のスペースや内容物の大きさや形状に応じて柔軟に隔壁の位置や数を変更することができ、保冷容器を多用途に使用することができる。
【発明の効果】
【００１９】
以上説明したように、本発明の保冷容器によれば、内容物が水に浸かるのを防止することができ、かつ内容物とともに詰められた氷をより長時間に亘って残存させることができる。
【図面の簡単な説明】
【００２０】
【図１】本発明の実施形態１に係る保冷容器の斜視図。
【図２】図１に示すII−II線に沿う保冷容器の断面図。
【図３】図１に示す保冷容器の箱体の平面図。
【図４】本発明の実施形態２に係る保冷容器の断面図。
【図５】図４に示す保冷容器の箱体の平面図。
【図６】本発明の実施形態３に係る保冷容器の箱体の平面図。
【図７】本発明の実施形態４に係る保冷容器の斜視図。
【図８】図７に示す保冷容器の箱体の平面図。
【発明を実施するための形態】
【００２１】
以下、図面を参照して本発明の実施形態を説明する。
【００２２】
［実施形態１］
図１は、本発明の実施形態１に係る保冷容器１の斜視図である。図２は、図１に示すII−II線に沿う保冷容器１の断面図である。図３は、図１に示す保冷容器１の箱体１０の平面図である。
【００２３】
本実施形態の保冷容器１は、例えば、鮮魚等の内容物ＦＦを氷ＢＩとともに収容する保冷容器１である。保冷容器１は、内容物ＦＦ及び氷ＢＩが収容される収容部１１と、氷ＢＩ及び氷ＢＩが融解した水が貯留される水氷貯留部１２と、氷ＢＩが融解した水を排出する水抜き穴１３ａを有する収容部１１の底部の排水部１３と、水氷貯留部１２と排水部１３とを区画する隔壁３０と、を備えることを特徴としている。
【００２４】
より詳細には、本実施形態の保冷容器１は、上部が開放された箱体１０と、該箱体１０の上部の開口部１０ａを閉塞する蓋体２０とを備えている。箱体１０は、内部に収容部１１及び水氷貯留部１２を有し、底部に排水部１３を有している。水氷貯留部１２は、箱体１０の開口部１０ａが開放された状態で、上部が開放され、箱体１０の開口部１０ａから氷ＢＩを収容できるようになっている。
【００２５】
箱体１０及び蓋体２０の素材としては、例えば発泡樹脂を用いることができる。発泡樹脂としては、例えば、ポリスチレン、スチレン改質ポリオレフィン系樹脂、ハイインパクトポリスチレン、スチレン−エチレン共重合体、スチレン−無水マレイン酸共重合体、スチレン−アクリロニトリル共重合体等のポリスチレン系樹脂、ポリエチレン、ポリプロピレン、エチレン−酢酸ビニル共重合体等のポリオレフィン系樹脂、ポリエチレンテレフタレート等のポリエステル系樹脂等の各種合成樹脂の発泡体を用いることができる。
【００２６】
本実施形態の保冷容器１において、収容部１１は、箱体１０の内部の空間であり、隔壁３０によって区画された排水部１３の上方の空間だけでなく、水氷貯留部１２の上方の空間を含んでいる。また、本実施形態の保冷容器１において、水氷貯留部１２は、箱体１０の内側の底面１０ｂ及び壁面１０ｗと、隔壁３０の側面３１とによって画定され、概ね直方体の形状を有する箱体１０の内部の空間である。
【００２７】
本実施形態の保冷容器１は、隔壁３０の高さ３０ｈが箱体１０の内側の底面１０ｂから蓋体２０の下面までの高さ１０ｈよりも低くなっている。これにより、蓋体２０の下面と隔壁３０の上端部との間に間隙が形成され、蓋体２０によって箱体１０の開口部１０ａが閉塞された状態で、収容部１１と水氷貯留部１２の上部とが連通している。箱体１０の内側の底面１０ｂから隔壁３０の上端までの高さ３０ｈは、例えば、箱体１０の内側の底面１０ｂから蓋体２０の下面までの高さ１０ｈの３０％から８０％程度の高さにすることができる。
【００２８】
なお、隔壁３０の高さ３０ｈは、箱体１０の内側の底面１０ｂから蓋体２０の下面までの高さ１０ｈと等しくてもよい。この場合、隔壁３０の上端部が蓋体２０の下面に接し、収容部１１と水氷貯留部１２とは、隔壁３０によって隔離される。しかし、この場合でも、例えば、隔壁３０の上部に貫通孔を設けることで、蓋体２０によって箱体１０の開口部１０ａが閉塞された状態で、収容部１１と水氷貯留部１２の上部とを連通させることができる。
【００２９】
本実施形態の保冷容器１において、水氷貯留部１２は、箱体１０の壁面１０ｗに隣接して設けられている。より具体的には、箱体１０は、長側壁１４と短側壁１５とを有する直方体の形状を有し、長側壁１４の壁面１０ｗに間隔をあけて対向する隔壁３０を有している。隔壁３０は、箱体１０の底壁１６に概ね垂直に設けられ、長側壁１４の壁面１０ｗに沿って長側壁１４と平行に一対の短側壁１５の間に延在している。そして、隔壁３０の側面３１と長側壁１４の壁面１０ｗとの間に形成された水氷貯留部１２は、長側壁１４の壁面１０ｗに沿って一対の短側壁１５の間に延在し、長側壁１４の壁面１０ｗに隣接して設けられている。
【００３０】
本実施形態の保冷容器１は、箱体１０の一対の長側壁１４の壁面１０ｗに隣接する一対の水氷貯留部１２を有している。このように、保冷容器１は、箱体１０の内部のスペースと収容部１１に収容される内容物ＦＦの形状や大きさに応じて、複数の水氷貯留部１２を有することができる。なお、水氷貯留部１２は、複数に限定されず、単数であってもよい。
【００３１】
また、本実施形態の保冷容器１において、収容部１１の底部の排水部１３は、箱体１０の内側の底面１０ｂの一部である。すなわち、排水部１３は、一対の隔壁３０によって区画された箱体１０の内側の底面１０ｂの一対の隔壁３０の間の部分である。排水部１３は、箱体１０の底壁１６に設けられた水抜き穴１３ａを有している。排水部１３は、水抜き穴１３ａを介して、主に収容部１１の氷ＢＩが融けた水を箱体１０の外部へ排出する。また、排水部１３は、水氷貯留部１２の上方の収容部１１の氷ＢＩが融けて水氷貯留部１２に貯留された水が排水部１３へ溢れた場合にも、その溢れた水を箱体１０の外部へ水抜き穴１３ａを介して排出する。
【００３２】
箱体１０の底面１０ｂにおける排水部１３の面積Ｓ１と水氷貯留部１２の面積Ｓ２との比Ｓ１：Ｓ２は、例えば、５：５から８：２までの間に設定することができる。排水部１３における水抜き穴１３ａの位置、形状、大きさ、及び数等は、収容部１１に収容された内容物ＦＦが水に浸かるのを防止することができ、かつ、収容部１１の温度を低温に維持することができるものであれば、特に限定されない。本実施形態の保冷容器１において、排水部１３は、一方の短側壁１５の近傍が他方の短側壁１５の近傍よりも低くなるように傾斜し、最も低くなった部分に二つの水抜き穴１３ａを有している。
【００３３】
また、本実施形態の保冷容器１において、隔壁３０は、箱体１０と一体に設けられている。すなわち、発泡樹脂製の箱体１０を成形する際に、一対の隔壁３０は、箱体１０と一体成形されている。したがって、本実施形態の保冷容器１において、隔壁３０は、箱体１０及び蓋体２０と同じ発泡樹脂製である。
【００３４】
以下、本実施形態の保冷容器１の作用について説明する。
【００３５】
本実施形態の保冷容器１は、前述のように、鮮魚等の内容物ＦＦを氷ＢＩとともに収容する容器である。本実施形態の保冷容器１は、内容物ＦＦ及び氷ＢＩが収容される収容部１１と、氷ＢＩ及び氷ＢＩが融解した水が貯留される水氷貯留部１２と、水を排出する水抜き穴１３ａを有する収容部１１の底部の排水部１３と、水氷貯留部１２と排水部１３とを区画する隔壁３０と、を備えている。
【００３６】
保冷容器１の内部に鮮魚等の内容物ＦＦを氷ＢＩとともに収容するには、まず、収容部１１に鮮魚等の内容物ＦＦを収容し、その上から収容部１１と水氷貯留部１２に氷ＢＩを収容する。又は、収容部１１と水氷貯留部１２に氷ＢＩを収容してから、収容部１１に鮮魚等の内容物ＦＦを収容し、さらにその上から氷ＢＩを収容部１１に収容する。このとき、収容部１１に吸水シートを敷き、その上に鮮魚等の内容物ＦＦを配置してもよい。
【００３７】
ここで、本実施形態の保冷容器１は、上部が開放された箱体１０と、該箱体１０の上部の開口部１０ａを閉塞する蓋体２０と、を備えている。そして、箱体１０は、内部に収容部１１及び水氷貯留部１２を有し、底部に排水部１３を有し、水氷貯留部１２は、箱体１０の開口部１０ａが開放された状態で、上部が開放されている。
【００３８】
これにより、箱体１０の上部の蓋体２０を外して、箱体１０の上部の開口部１０ａを開放した状態で、箱体１０の内部の収容部１１に内容物ＦＦを配置し、収容部１１と水氷貯留部１２に氷ＢＩを詰め、箱体１０の開口部１０ａを蓋体２０で閉塞することができる。したがって、保冷容器１の収容部１１に鮮魚等の内容物ＦＦとともに氷ＢＩを収容し、水氷貯留部１２に氷ＢＩを収容するのを容易にすることができる。
【００３９】
このように、保冷容器１の収容部１１及び水氷貯留部１２に収容された氷ＢＩは、時間の経過とともに融解して水になるが、収容部１１の氷ＢＩが融けた水は、収容部１１の底部の排水部１３から水を排出する水抜き穴１３ａによって外部へ排出される。そのため、収容部１１では、水が貯留されず、氷ＢＩだけを残存させることができ、鮮魚等の内容物ＦＦが水に浸かるのを防止できる。これにより、例えば、フエフキダイのように、水に浸かると商品価値が低下する内容物ＦＦの商品価値が低下するのを防止できる。
【００４０】
一方、水氷貯留部１２の氷ＢＩが融けた水は、残存する氷ＢＩとともに水氷貯留部１２に貯留される。そのため、水氷貯留部１２では、氷ＢＩと水が混在して貯留され、氷ＢＩが概ね０℃の水に浸かった水氷の状態になる。そのため、収容部１１の水抜き穴１３ａから保冷容器１の内部に温かい空気が侵入しても、保冷容器１の内部を水氷によって効果的に冷却することができ、内容物ＦＦの温度上昇を抑制することができる。
【００４１】
また、水氷貯留部１２において氷ＢＩが融けた水を貯留することで、水を排出して氷ＢＩだけを貯留した場合と比較して、水氷貯留部１２に貯留される冷媒としての水氷の比熱を大きくすることができる。したがって、保冷容器１の内部に内容物ＦＦとともに詰められた氷ＢＩを長時間に亘ってより多く残存させることができ、鮮魚等の内容物ＦＦの見栄えを向上させることができるだけでなく、内容物ＦＦの温度上昇を抑制して商品価値を向上させることができる。
【００４２】
また、本実施形態の保冷容器１は、箱体１０の開口部１０ａが蓋体２０によって閉塞された状態で、収容部１１と水氷貯留部１２の上部とが連通している。そのため、収容部１１の底部の排水部１３の水抜き穴１３ａから容器内部へ流入した温かい空気は、収容部１１の上部へ移動し、収容部１１から水氷貯留部１２の上部へ移動する。また、水氷貯留部１２に貯留された水氷によって冷却された空気は、水氷貯留部１２の上部から収容部１１へ移動し、さらに収容部１１の底部へ移動する。したがって、水氷貯留部１２において冷却された空気によって収容部１１を効果的に冷却し、収容部１１の内容物ＦＦの温度上昇をより効果的に抑制することができる。
【００４３】
また、本実施形態の保冷容器１において、水氷貯留部１２は、箱体１０の壁面１０ｗに隣接して設けられている。そのため、箱体１０の壁面１０ｗを介して保冷容器１の内部へ侵入する熱を、氷ＢＩのみの場合と比較して比熱の大きい水氷貯留部１２の水氷によって、より長時間に亘ってより多く吸収することができる。したがって、箱体１０の壁面１０ｗを介して収容部１１へ到達する熱を、より長時間に亘って遮断し、収容部１１の温度上昇をより効果的に抑制することができる。
【００４４】
一般に、鮮魚は、頭から尾までの全長が、背から腹までの全幅よりも長い。そのため、鮮魚を直方体形状の箱体１０の収容部１１に収容するときには、例えば、鮮魚の頭と尾を短側壁１５に向け、背と腹を長側壁１４に向けて収容する。そのため、箱体１０の長側壁１４の壁面１０ｗに隣接して水氷貯留部１２を設けることで、箱体１０の壁面１０ｗのより広い面積に水氷貯留部１２を設け、水氷貯留部１２に貯留される水氷によって鮮魚の頭から尾までを効果的に保冷することが可能になる。
【００４５】
また、本実施形態の保冷容器１は、複数の水氷貯留部１２を有している。これにより、箱体１０の壁面１０ｗを介して収容部１１へ到達する熱を、箱体１０のスペースや内容物ＦＦの形状や大きさに応じて、より広い範囲でより適切に遮断することができる。例えば、鮮魚を直方体形状の箱体１０の収容部１１に収容するときに、一対の長側壁１４に沿って一対の水氷貯留部１２を設けることで、水氷貯留部１２に貯留される水氷によって、鮮魚の頭から尾までを、腹と背の両側から効果的に保冷することが可能になる。
【００４６】
また、本実施形態の保冷容器１において、隔壁３０は、箱体１０と一体に設けられていている。これにより、保冷容器１から隔壁３０が脱落することが防止され、収容部１１と水氷貯留部１２との間の水の移動をより確実に規制することができる。
【００４７】
また、本実施形態の保冷容器１において、箱体１０の底面１０ｂにおける排水部１３の面積Ｓ１と水氷貯留部１２の面積Ｓ２との比Ｓ１：Ｓ２は、例えば、５：５から８：２までの間に設定することができる。これにより、内容物ＦＦを収容するのに必要な収容部１１の容積を十分に確保することができるだけでなく、従来よりも長時間にわたって氷を残存させることができる水氷貯留部１２の容積を十分に確保することができる。
【００４８】
以上説明したように、本実施形態の保冷容器１によれば、鮮魚等の内容物ＦＦが水に浸かるのを防止することができ、かつ内容物ＦＦとともに詰められた氷ＢＩをより長時間に亘って残存させることができる。したがって、鮮魚等の内容物ＦＦの見栄えを向上させることができるだけでなく、内容物ＦＦの温度上昇を抑制して商品価値を向上させることができる。
【００４９】
［実施形態２］
次に、本発明の保冷容器の実施形態２について、図４及び図５を用いて説明する。図４は、本発明の実施形態２に係る保冷容器１Ａの箱体１０Ａの断面図である。図５は、図４に示す保冷容器１Ａの箱体１０Ａの平面図である。なお、図４は、図５のIV−IV線に沿う保冷容器１Ａの断面図である。
【００５０】
本実施形態の保冷容器１Ａは、高さの異なる複数の隔壁３０を有し、複数の隔壁３０が箱体１０Ａの底壁１６に多重の環状に設けられ、最も内側の隔壁３０によって区画された箱体１０Ａの内側の底面１０ｂの一部が収容部１１の底部の排水部１３とされている点で、前述の実施形態１の保冷容器１と異なっている。本実施形態の保冷容器１Ａのその他の点は、前述の実施形態１の保冷容器１と同様であるため、同様の部分には同一の符号を付して説明を省略する。
【００５１】
本実施形態の保冷容器１Ａは、高さの異なる複数の隔壁３０によって区画された複数の水氷貯留部１２を有している。隔壁３０の高さは、収容部１１の底部の排水部１３に近いほど低くされ、箱体１０Ａの側壁１４Ａの壁面１０ｗに近いほど高くされている。これにより、複数の水氷貯留部１２は、箱体１０Ａの側壁１４Ａの壁面１０ｗに近いほど容積が大きくなっている。
【００５２】
収容部１１は、箱体１０Ａの底面１０ｂの中央部に位置する最内周の隔壁３０の内側の排水部１３の上方において、最も高さが高くなり、箱体１０Ａの側壁の壁面１０ｗに隣接する最外周の水氷貯留部１２及び隔壁３０の上方において、最も高さが低くなっている。これにより、収容部１１は、箱体１０Ａの中央部に比較的大きな空間を有している。
【００５３】
本実施形態の保冷容器１Ａによれば、前述の実施形態１の保冷容器１と同様に、収容部１１の氷ＢＩが融けた水は、収容部１１の底部の排水部１３から水を排出する水抜き穴１３ａによって外部へ排出されるか、又は水氷貯留部１２に貯留される。したがって、収容部１１に収容された鮮魚等の内容物ＦＦが水に浸かるのを防止することができ、かつ内容物ＦＦとともに詰められた氷ＢＩをより長時間に亘って残存させることができる。
【００５４】
また、本実施形態の保冷容器１Ａは、複数の水氷貯留部１２が多重に設けられていることで、貯留される水氷の量を増加させることができる。それに加えて、内側の水氷貯留部１２の水氷を外側の水氷貯留部１２の水氷によって保冷し、内容物ＦＦとともに詰められた氷ＢＩをより長時間に亘って残存させることができる。
【００５５】
また、本実施形態の保冷容器１Ａは、高さの異なる複数の隔壁３０を有することで、収容部１１に収容される内容物ＦＦの形状や大きさに対応させて、水氷貯留部１２の上方に必要な大きさの収容部１１を形成することができる。一般に、鮮魚は、背と腹の部分が薄く、背と腹の間の中間部が厚くなっている。したがって、例えば、鮮魚の形状に対応させて、箱体１０Ａの底面１０ｂの中央部の隔壁３０の高さを低くし、箱体１０Ａの底面１０ｂの外縁部の隔壁３０の高さを高くすることで、収容部１１に内容物ＦＦを収容するのに必要なスペースを確保しつつ、水氷貯留部１２の容積を増加させることができる。
【００５６】
［実施形態３］
次に、本発明の保冷容器の実施形態３について、図６を用いて説明する。図６は、本発明の実施形態３に係る保冷容器１Ｂの箱体１０Ｂの平面図である。なお、図６において、蓋体２０の図示は省略している。
【００５７】
本実施形態の保冷容器１Ｂは、直方体形状の箱体１０Ｂの底面１０ｂの角部に水氷貯留部１２を有する点で、前述の実施形態１の保冷容器１と異なっている。本実施形態の保冷容器１Ｂのその他の点は、前述の実施形態１の保冷容器１と同様であるため、同様の部分には同一の符号を付して説明を省略する。
【００５８】
本実施形態の保冷容器１Ｂによれば、前述の実施形態１の保冷容器１と同様に、収容部１１の氷ＢＩが融けた水は、収容部１１の底部の排水部１３から水を排出する水抜き穴１３ａによって外部へ排出されるか、又は水氷貯留部１２に貯留される。したがって、鮮魚等の内容物ＦＦが水に浸かるのを防止することができ、かつ内容物ＦＦとともに詰められた氷ＢＩをより長時間に亘って残存させることができる。
【００５９】
また、水氷貯留部１２は、直方体形状の箱体１０Ｂの内部でデッドスペースになりやすい角部に配置されている。したがって、箱体１０Ｂの内部の空間を有効利用して、水氷貯留部１２の容積を必要以上に減少させることなく、排水部１３を広く使用することができ、収容部１１の底部の排水部１３及びその上方に鮮魚等の内容物ＦＦを配置しやすくすることができる。
【００６０】
［実施形態４］
次に、本発明の保冷容器の実施形態４について、図７及び図８を用いて説明する。図７は、本発明の実施形態４に係る保冷容器１Ｃの斜視図である。図８は、図７に示す保冷容器１Ｃの箱体１０Ｃの平面図である。
【００６１】
本実施形態の保冷容器１Ｃは、水氷貯留部１２と収容部１１の底部の排水部１３とを区画する隔壁３０が箱体１０Ｃに取り外し可能に設置されている点で、前述の実施形態１の保冷容器１と異なっている。本実施形態の保冷容器１Ｃのその他の点は、前述の実施形態１の保冷容器１と同様であるため、同様の部分には同一の符号を付して説明を省略する。
【００６２】
本実施形態の保冷容器１Ｃは、水氷貯留部１２と収容部１１の底部の排水部１３とを区画する隔壁３０が箱体１０Ｃに取り外し可能に設置されている。より具体的には、箱体１０Ｃの長側壁１４及び底壁１６の内側の壁面１０ｗに溝１７が設けられ、この溝１７に矩形板状の隔壁３０の下端部と両側端部が嵌合されている。この隔壁３０によって、箱体１０Ｃは、氷ＢＩ及び氷ＢＩが融解した水が貯留される水氷貯留部１２と、水抜き穴１３ａを有する収容部１１の底部の排水部１３とに区画されている。
【００６３】
また、箱体１０Ｃは、内側の底面１０ｂに配置された複数の矩形箱状の内箱４０を有している。内箱４０は、底壁４１と側壁４２を有し、上部が開放された有底角筒状に形成されている。内箱４０の底部は、箱体１０Ｃの底面１０ｂに設けられた凹部に嵌合させてもよいし、単に箱体１０Ｃの内側の底面１０ｂに接しているだけでもよい。内箱４０の側壁４２は、水氷貯留部１２と排水部１３とを区画する隔壁であり、隔壁である側壁４２の内側は、水氷貯留部１２である。なお、内箱４０は、発泡樹脂製であってもよいし、ソリッド樹脂製、すなわち非発泡樹脂製であってもよい。
【００６４】
本実施形態の保冷容器１Ｃによれば、前述の実施形態１の保冷容器１と同様に、収容部１１の氷ＢＩが融けた水は、収容部１１の底部の排水部１３から水を排出する水抜き穴１３ａによって外部へ排出されるか、又は水氷貯留部１２に貯留される。したがって、鮮魚等の内容物ＦＦが水に浸かるのを防止することができ、かつ内容物ＦＦとともに詰められた氷ＢＩをより長時間に亘って残存させることができる。
【００６５】
さらに、隔壁３０及び隔壁である側壁４２を備える内箱４０が箱体１０Ｃに取り外し可能に設置されていることで、箱体１０Ｃの内部のスペースや内容物ＦＦの大きさや形状に応じて柔軟に隔壁３０の位置や数を変更することができる。したがって、保冷容器１Ｃを多用途に使用することができる。
【００６６】
以上、図面を用いて本発明の実施の形態を詳述してきたが、具体的な構成はこの実施形態に限定されるものではなく、本発明の要旨を逸脱しない範囲における設計変更等があっても、それらは本発明に含まれるものである。
【００６７】
以下、本発明の保冷容器を使用した実施例と、従来の保冷容器を使用した比較例について説明する。
【００６８】
［実施例］
まず、前述の実施形態１で説明した保冷容器と同一の構成を有する実施例の保冷容器を用意した。保冷容器は、厚さが２０ｍｍの発泡樹脂製であり、外寸は５５０ｍｍ×３５０ｍｍ×１４０ｍｍであった。箱体の底面における排水部の面積Ｓ１と水氷貯留部の面積Ｓ２との比Ｓ１：Ｓ２は、６：４であった。また、排水部には、直径１５ｍｍの円形の水抜き穴が４つ設けられた。
【００６９】
実施例の保冷容器の内部の収容部と水氷貯留部に合計１０ｋｇの氷を収容し、箱体の開口部を蓋体によって閉塞し、保冷容器の外部の環境温度を３０℃に設定し、１０時間後の氷の重量を測定したところ、１．４ｋｇの氷が残存していた。
【００７０】
［比較例］
次に、底部に直径１５ｍｍの円形の水抜き穴が４つ設けられ、水氷貯留部を有しない比較例の保冷容器を用意した。比較例の保冷容器は、実施例の保冷容器と同様に、厚さが２０ｍｍの発泡樹脂製であり、外寸は５５０ｍｍ×３５０ｍｍ×１４０ｍｍであった。
【００７１】
比較例の保冷容器の内部に１０ｋｇの氷を収容し、箱体の開口部を蓋体によって閉塞し、保冷容器の外部の環境温度を３０℃に設定し、１０時間後の氷の重量を測定したところ、０．７ｋｇの氷が残存していた。
【００７２】
以上の結果から、収容部と水氷貯留部と排水部と隔壁とを備える実施例の保冷容器は、水氷貯留部及び隔壁を有しない比較例の保冷容器と比較して、容器内部に詰められた氷をより長時間に亘って残存させることができることが確認された。
【符号の説明】
【００７３】
１，１Ａ−１Ｃ        保冷容器
１０，１０Ａ−１０Ｃ  箱体
１０ａ                開口部
１０ｗ                壁面
１１                  収容部
１２                  水氷貯留部
１３ａ                水抜き穴
１３                  排水部
２０                  蓋体
３０                  隔壁
３０ｈ                高さ
４２                  側壁（隔壁）
ＢＩ                  氷
ＦＦ                  内容物
【図１】
0006603120.tif 000002
【図２】
0006603120.tif 000003
【図３】
0006603120.tif 000004
【図４】
0006603120.tif 000005
【図５】
0006603120.tif 000006
【図６】
0006603120.tif 000007
【図７】
0006603120.tif 000008
【図８】
0006603120.tif 000009